(57)【要約】      （修正有）【課題】重さ、大きさを最小限に抑え、且つ、感度を最大にすることを可能にする釣り用浮きを提供する。【解決手段】水に沈まない程度の比重で、投入に必要な重量をもち、浮き本体１を芯部のスライド穴３に篏合した重み２と、これに篏合して自由に上下動する浮き本体１とを設け、本体１には、下部に掛溝６をもつ鍔状部５を設うけ、これに掛合う鈎部９を持つ鈎部品８を、外測に常引して重み２に軸着７して設け、本体１と、重み２の二つの浮体が、投入時には掛溝６と鈎部９とが掛合状態で一体として飛行し、着水までに掛合が解かれ、本体１が自在に上下動できる様に構成した。【選択図】図１
0003214784.tif 000002
【実用新案登録請求の範囲】
【請求項１】
水に沈まない程度の比重で、投入に必要な重量をもち、浮き本体１を芯部のイライド穴３に篏合した重み２と、これに篏合して自由に上下動する浮き本体１とを設け、本体１には、下部に掛溝６をもつ鍔状部５を設うけ、これに掛合う鈎部９を持つ鈎部品８を、外測に常引して重み２に軸着７して設け、本体１と、重み２の二つの浮体が、投入時には掛溝６と鈎部９とが掛合状態で一体として飛行し、着水までに掛合が解かれ、本体１が自在に上下動できる様に構成した釣り用浮き。
【請求項２】
重み２の下部に芯方向にガイド溝１１を設け、このガイド溝１１内に、その着合部１２が着軸して、開く方向に常引された鈎部品８を設け、深く着合する時は、鈎部９が本体１の掛溝６に掛合して本体１と重み２が一体となり、投入時に鈎部品８が投入方行に強く引かれて着合部１２が外れ、鈎部９と本体１の掛溝６が離脱可能状態となり、その後本体１が逆方向に引かれて、鈎部９が離脱して掛合が解かれ、浮き本体１が上下自在に活動出来るようにした［請求項１］の釣り用うき。
【請求項３】
重み２の一部の割り込み１３内に着軸７して、端部１４が外側に常圧されている鈎部品８を設け、其の端部１４が本体１に設けた掛溝６に掛合して、仕掛け投入時に本体１と重み２とが一体となり、その後、本体１が道糸に逆方行に引かれる事により、端品１４が脱離して、本体１が解放され自在に上下動出来る様にした［請求項１］の釣り用浮き。
【請求項４】
本体１の下部に突子２０を設け、重み２の下部に本体１に直交する面方向にＡ部屋とＢ部屋を設けると共に、底部１８に本体１に設け突子２０が進入する事の出来る底穴１８を設け、突子２０がこの底穴１８よりＢ部屋を通りＡ部屋まで挿入されて、この位置で本体１を時計方向に回動する事により、Ａ部屋内に設けた鈎部品８の鈎部９に系止８（２０イ）され、投入可能状態となり、投入初期に本体１が進行方向に引かれ、鈎部９の系止が外れて突子２０がＢ部屋ロに移行して、突子２０の解放可能状態に成り、その後本体１が逆方向ハに引かれて突子２０の系合が解かれ、本体１が上下自在に活動出来る様にした［請求項１］の釣り用浮き
【請求項５】
重み２のスライド穴に嵌着した本体１の下部に鍔状部５を設け、重み２の最下端に中通し環２２を設け、竿を立てた時に、本体１が通し穴４に結ばれた道糸１６により吊り下げられ、重み２も中通し環２２を通した道糸１６により吊り下げられ、本体１の鍔状部５に重み２が蜜着し一体状態で投入され、浮きが着水して水面に浮いた時、本体１がフリーの状態になる［請求項１］の釣り用浮き
【請求項６】
浮き本体１に、芯部に上下に貫通する引き通し穴２３を設け、下部に鍔状部５を設けて、重み２のスライド穴に３に篏合し、竿を立てた時に、本体１が通し穴２３を通した道糸のサルカン２１に掛かつて直立し、重み２が自重で本体１に蜜着して一体して投入され、浮き本体１が着水して水面に浮いた時、本体１がフリーの状態になる［請求項１］の釣り用浮き
【考案の詳細な説明】
【技術分野】
【０００１】  浮き釣りで、飛距離を伸ばすと共に、アタリを敏感に取る為の浮きに係わる。
【背景技術】
【０００２】浮き釣りにおいて、より遠くへ投げる為には、より大きな浮きを使用する事が必要とされ、その為に浮き自体の感度は大変失われていた、又、大きな浮きは空気抵抗が大きく，飛距離が損われる欠点があつた。
【考案の効果】
【０００３】重み２の芯部に設けたスライド穴３に嵌合し、魚の引きに対して自由に上下動出来る浮き本体１と、水に少し浮き、投入に必要な重量を持つ重み２にて構成され、この二者が、投入加速時に一体して飛行し、その後、着水までに此の掛合が解けて、本体１が自在に上下動出来るもので、重み２が独自でオモリの働きをする事により、この重さが本体１や他の仕掛けに制限を加与える事が無く、重量を加減する事が出来、と共に、浮き本体１は、仕掛けの重さを最小量に出来るので、浮きの小型化が出来、アタリに対し敏感で、魚の食い込みが良い、飛距離の出る仕掛けを作る事が出来る。
【図面の簡単な説明】
【０００４】
【図１】第１図は第一例の主要部分の断面図。
【図２】第２図は第一図の正面図で、水面に浮いた状態を示す。
【図３】第３図は第二例の主要部分の断面図。
【図４】第４図は第三例の断面図。
【図５】第５図は第四例の正面図。
【図６】第６図は第四例のＡ部屋部分の断面図。
【図７】第７図は第四例のＢ部屋部分の断面図。
【図８】第８図は第四例の重み２の底面図。
【図９】第９図は第四図の突子２０の移動状態を示す図。
【図１０】第１０図は第五例の正面図。
【図１１】第１１図は第六例の正面図。
【考案を実施するための形態】
。
【０００５】  本体１と重み２の二つの浮体を設け、本体１は重み２芯に設けたスライド穴３に自由に上下動出来る様に篏合し、浮きとして必要な浮力及び大きさで活動性及び視認性を持ち、立浮きと成り、重み２は水に少し浮く程度の比重で、遠くに投げる為の重量を持ち、オモリの働きをする、必要に応じて重量を増減できるように構成され、重み２は、下方を重くして水面に直立たせる事で、本体１を立つ様に保持することにより、浮き下の仕掛けを極限まで軽くして、浮きを極限まで小さくして、立ち浮きとして敏感に作動させ得る。
【０００６】  本体１と重み２は、竿を振り込んで仕掛け投入時には一体なって飛行し、着水までに二者の掛合が解け、本体１をフリーにするもので、本体１の上下動は、下部の鍔状部５と頭部１０にて制限されているが、エサを走りながら食う魚の為には、頭部１０を設けず、引き込みを制限しない。又、頭部を着脱式にして重み２の量を着脱式に加減する事が出来る。
【実施例】
【０００７】  第１図は、第２図は、第一例を示すもので、本体１と重み２の二つの浮体を設け、重み２は投入するのに必要な重量を持ち、水に沈まない程度の比重で、直立して水面に少し出て浮かび、その芯部にスライド穴３が設けられている。本体１はこのスライド穴３に上下動出来る様に篏合し、最下部に道糸を通す（結ぶ）通し穴４が有り、すぐ上に、外周部に掛溝６を設けた鍔状部５が設けられていて、これに係合する鈎部９を持つ鈎部品８が、重み２の下部に着軸７して、常に８Ａの位置に常引されている。【０００８】  仕掛けを投入する時は、本体１を上に押して鍔状部５を重み２に近づけた状体で、鈎部品８を内側に押しつつ本体１を下に引き、掛溝６と鈎部９を係合した状態（第一図）にする事により、投入の準備が完了する。この状態で竿を振り込むと、本体１と重み２は一体として飛行し、オモリを振り切った後、本体１に道糸が引かれる状態に変わり、上記の掛溝６と鈎部９の係合が外れて、浮き本体１が解放されて自由に上下動出来る状態で水面に浮かび、仕掛け部分の重さにより立浮きとして、敏感に作動する様にしたものである。【０００９】  第３図は第二例を示すもので、重み２に設けられた鈎部品８の着合部１２が長手に設けられ、重み２に設けたガイド溝１１に着合して、上下動出来る様に構成したもので、軸着７に着合していて、上に押した時は図示の様にガイド溝１１の深部にはまり、図の様に本体１の鍔状部５に鈎部９が掛合して、投入可能の状態になる。【００１０】この状態で仕掛けを投入すると、初めに、深部に着合した鈎部品８が下に引かれて８Ｂまで移動して離脱準備状態に成り、重み２は更に本体１に引かれつつ一体として飛行する。その後重み２で本体１を押す状態に変わり、鈎部品８が８Ａに開き、本体１が解放されてフリーの状態に成る。この例ではガイド溝１１の深部の着合を少し堅嵌めにする事で、重み２の不慮の脱落が防止される。【００１１】  第４図は第三例を示すもので、本体１と重み２との掛合する機構を、重もみ２の上部にも設けたもので、重み２の上部に割り込み１３内に着軸７して設けられた掛部品１５の端部１４が、本体１に設けた掛溝６に掛合していて、この状態で本体１と重み２が一体として飛行し、その後本体１道糸を引く状態に変わり、外側に常引されている掛部品８が外れて、本体１が解放されるものである。【００１２】  第５図より第９図は、第四例を示すもので、重み２の下部にＡ部屋とＢ部屋を設け、Ａ屋内に鈎部品８を設けたもので、鈎部品８はバネにて内側に押されていて、通常は図の位置に保持されている。本体の１の下部に突子２０を設け、これが通過出来る底穴１９を重み２の底部１８に設け、本体１を押し上げた時、底穴１９より突子２０はＢ部屋を通りＡ部屋まで挿入され、この状態で本体１を時計方向に回して、突子２０の端が鈎部品８を押し開いて鈎部９イに掛り、投入準備が完了した状態になる。【００１３】  この状態で投入すると、本体１は道糸１６に引かれて、突子２０が鈎部９よりそれて外れ、Ａ部屋イよりＢ部屋ロに移動し、重み２の底板１８を押しつつ飛行する、竿を振り終えると本体１が道糸１６を押す状態に変わり、突子２０が丘部１７を超えてＢ部屋ハに移動して、突子２０はＡ部屋Ｂ部屋内では、時計と反対方向に押されていて、挿入位置まで押し戻され、浮き本体１がフリーの状態に成るものである。【００１４】  第１０図は第五例を示すもので、本体１の下部に鍔状部５を設け、重み２の下部に中通し環２２設けたもので、中通し環２２に道糸１６を通したあと、本体１の下部の通し穴４に結びつけて、竿尾を立てると、図の様に鍔状部５と重み２が蜜着て吊り下げられる、この状態で投入すると、飛行時は一体として飛び、着水すると浮き本体１は解放されて、フリーの状態になるものである。【００１５】第１１図は第六例を示すもので、芯部に引き通し穴１２を設け、下部に鍔状部５を設けて、重み２のスライド穴３に嵌着して上下動する様にした本体１を設け、竿を立てて浮きを吊り下げると、引き通し穴２３に下部がサルカン２１に掛かり、吊り下げられて図の様に直立した状態に成る、この状態で投入すると、飛行時は一体１として飛び、着水すると浮き本体１は解放されて、フリーの状態になるものである。
【符号の説明】
【００１６】１    本体        ２    重み        ３    スライド穴        ４    通し穴
５    鍔状部      ６    掛溝８      ７    着軸              ８    鈎部品
９    鈎部        １０  頭部        １１  ガイド溝          １２  着合部
１３  割り込み    １４  端部        １５  掛部品
１６  道糸        １７  丘部        １８  底部              １９  底穴
２０  突子        ２１  ヨリモドシ  ２２  中通し環          ２３  引き通し穴
【図１】
0003214784.tif 000003
【図２】
0003214784.tif 000004
【図３】
0003214784.tif 000005
【図４】
0003214784.tif 000006
【図９】
0003214784.tif 000007
【図５】
0003214784.tif 000008
【図６】
0003214784.tif 000009
【図７】
0003214784.tif 000010
【図８】
0003214784.tif 000011
【図１０】
0003214784.tif 000012
【図１１】
0003214784.tif 000013